(57)【要約】【課題】側柵の逆差しを回避し、側柵の厚みを増加させず、他の側柵およびベッドとの互換性をもつベッドを提供する。【解決手段】２本の支柱を持つ非対称の側柵４０が着脱可能なベッドの基台となる枠体１１と、枠体１１の側端に取り付けられ、２本の支柱を受ける２つ差込穴３７、３８を有する一対の支持部材３１、３２と、差込穴３７、３８のそれぞれの内部に着脱可能であって、側柵の誤った向きでの差し込みを回避する回避部材３１ａ、３２ａとを備える。【選択図】図５Ｂ
2015202378.tif 000002
【特許請求の範囲】
【請求項１】
２本の支柱を持つ非対称の側柵を取付可能なベッドの基台となる枠体と、
前記枠体に取り付けられ、前記２本の支柱を受ける２つ差込穴を有する一対の支持部材と、
前記差込穴のそれぞれの内部に着脱可能であって、前記側柵の誤った向きでの差し込みを回避する回避部材とを備える
ベッド。
【請求項２】
前記側柵における前記２本の支柱のそれぞれは下端に傾斜面を有し、
回避部材は、前記側柵が正しい向きであるとき前記差込穴の底部および内側面と前記傾斜面とで囲まれる空間の少なくとも一部を占有し、前記側柵が誤った向きであるとき前記２本の支柱の先端部分に干渉する
請求項１に記載のベッド。
【請求項３】
前記回避部材は、前記側柵が正しい向きであるときに前記傾斜面の少なくとも一部に沿い、かつ、前記側柵が誤った向きであるときに前記傾斜部の先端部の挿入を妨げる
請求項２に記載のベッド。
【請求項４】
前記回避部材はピンであり、
前記一対の支持部材のそれぞれは、前記支持部材の外側面から前記差込穴内部に貫通し、かつ前記差込穴の中心から偏心した位置に形成され、前記ピンが挿入可能なピン穴を有し、
前記ピン穴は、前記側柵が正しい向きであるとき前記傾斜面に沿うように形成される
請求項２に記載のベッド。
【請求項５】
前記傾斜面は、前記側柵に沿う平面の法線方向と平行であり、前記ピン穴の中心軸は前記ベッドの短手方向と平行である
請求項２〜４のいずれか１項に記載のベッド。
【請求項６】
前記傾斜面は、前記側柵に沿う平面と平行であり、前記ピン穴の中心軸は前記ベッドの長手方向と平行である
請求項２〜４のいずれか１項に記載のベッド。
【請求項７】
前記回避部材は、前記差込穴の底部に着脱可能に載置され、傾斜する上面を有する
請求項２に記載のベッド。
【請求項８】
前記回避部材の前記上面は、前記側柵が正しい向きであるとき前記側柵における前記傾斜面と平行に対向し、
前記回避部材の前記上面の先端は、前記側柵が逆向きであるとき前記側柵における前記傾斜面の先端部と接触する
請求項７に記載のベッド。
【発明の詳細な説明】
【技術分野】
【０００１】
本発明は、ベッドに関し、特に側柵を取り外し可能なベッドに関する。
【背景技術】
【０００２】
近年、病院及び家庭で用いられる介護用のベッドが普及してきた。このようなベッドは、人体を支持するボトム（床板体）と、そのボトムの姿勢を変更する駆動機構とを備える。姿勢変更が可能なボトムは、回動可能に連結された背ボトム、腰ボトム、膝ボトム及び足ボトムから構成される。
【０００３】
さらに、上記ベッドは、側柵を着脱可能な差込口をベッドの側面に有している。側柵には、サイドレール、ベッド用グリップ（または介助バー）などの種類がある。サイドレールは、ベッドで寝ている人の転落や寝具の落下を予防するための柵をいう。ベッド用グリップは、ベッド上で起き上がりやベッドからの立ち上がりなどの動作を補助するための柵をいう。
【０００４】
側柵は、下側に非対称に設けられた一対の支柱を持つものもある。また、ベッドは一対の差込口を４箇所に設けている。そのため、非対称の側柵の取り付け方には、正しい向きと、誤った向きの２通りがあり得る。以下、誤った向きでの側柵の取り付けを逆差しと呼ぶ。逆差しの側柵では、頭側ボードや足側ボードとの間に大きな隙間が生じる場合がある。
【０００５】
逆差しを防止するために、例えば、特許文献１（図３）は、側柵に逆向き装着防止部を付加することを開示している。また、特許文献２は、側柵において２つの差込棒（つまり支柱）の間の中間位置から偏った位置に凸片を備える。
【先行技術文献】
【特許文献】
【０００６】
【特許文献１】特開２０１３-１５４０２０号公報
【特許文献２】特開２０１０−６８９６７号公報
【発明の概要】
【発明が解決しようとする課題】
【０００７】
しかしながら、特許文献１の装着防止部は、側柵の厚みを大きくするという課題がある。一般に、介護用ベッドでは、４つの側柵を取付可能であり、また、側柵として、種々の側柵が用意されている。介護施設または病院では多数のベッドで使用される多数の側柵を保管、移送および交換する必要がある。特許文献１の側柵の厚みは、逆向き装着防止部によって、側柵を構成するパイプの太さに対して３〜４倍になってしまい、複数の側柵を保管するのに３〜４倍のスペースが必要になる。
【０００８】
また、特許文献２の側柵は、２つの差込棒の距離が従来の寸法規格と同じであっても、中間位置から偏った位置に凸片があるので、従来の寸法規格に従うベッドでは使用できない可能性がある。つまり互換性に問題がある。
【０００９】
そこで、本発明は、側柵の逆差しを回避し、側柵の厚みを増加させず、他の側柵およびベッドとの互換性をもつベッドを提供することを目的とする。
【課題を解決するための手段】
【００１０】
上記目的を達成するために、本発明に係るベッドの一形態は、２本の支柱を持つ非対称の側柵を取付可能なベッドの基台となる枠体と、前記枠体に取り付けられ、前記２本の支柱を受ける２つ差込穴を有する一対の支持部材と、前記差込穴のそれぞれの内部に着脱可能であって、前記側柵の誤った向きでの差し込みを回避する回避部材とを備える。
【発明の効果】
【００１１】
本発明に係るベッドによれば、側柵の逆差しを回避し、側柵の厚みを増加させず、他の側柵およびベッドとの互換性を持つことができる。
【図面の簡単な説明】
【００１２】
【図１】図１は、実施の形態１に係るベッドの構成例を示す斜視図である。
【図２】図２は、実施の形態１に係るベッドの構成例を示す上面図である。
【図３】図３は、実施の形態１に係る側柵の構成例を示す図である。
【図４Ａ】図４Ａは、実施の形態１に係る非収納時における側柵支持部の構成例を示す斜視図である。
【図４Ｂ】図４Ｂは、実施の形態１に係る収納時における側柵支持部の構成例を示す斜視図である。
【図５Ａ】図５Ａは、実施の形態１に係る正しい向きの側柵と、第１および第２の支持部材および支柱の断面および下面とを示す図である。
【図５Ｂ】図５Ｂは、実施の形態１に係る誤った向きの側柵と、第１および第２の支持部材および支柱の断面および下面とを示す図である。
【図５Ｃ】図５Ｃは、実施の形態１に係る他の側柵と、第１および第２の支持部材および支柱の断面および下面とを示す図である。
【図６Ａ】図６Ａは、実施の形態２に係る正しい向きの側柵の支柱と第１の支持部材とを示す断面図および下面図である。
【図６Ｂ】図６Ｂは、実施の形態２に係る誤った向きの側柵の支柱と第１の支持部材とを示す断面図および下面図である。
【図７Ａ】図７Ａは、変形例に係るロック機構付き側柵（介助グリップ）を示す斜視図である。
【図７Ｂ】図７Ｂは、変形例におけるロック機構付き側柵（介助グリップ）の支柱を含む部分の断面説明図である。
【図８】図８は、変形例に係る側柵支持部の取り付け例を示すベッドの上面図である。
【図９】図９は、変形例に係る側柵の取り付け可能な向きを示す説明図である。
【発明を実施するための形態】
【００１３】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１４】
（実施の形態１）
図１は、実施の形態１に係るベッドの構成例を示す斜視図である。図２は、ベッドの構成例を示す上面図である。図１および図２に係るベッドは、病院及び家庭等で使用される電動式のベッドであり、２本の支柱を有する側柵を着脱可能である。このベッドは、主要部として枠体１１と、ボトム２０と、４つの側柵支持部３０とを備える。これ以外にも、このベッドは、頭側ボード、足側ボード、電動モーター、操作リモコン等を備えている。
【００１５】
枠体１１は、２本の支柱を持つ非対称の側柵が着脱可能なベッドの基台となるフレームである。枠体１１の４箇所に側柵支持部３０が取り付けられている。
【００１６】
ボトム２０は、蝶番等で回動可能に順次、連結された複数の部位、つまり、背ボトム２１、腰ボトム２２、膝ボトム２３及び足ボトム２４を有する。
【００１７】
側柵支持部３０のそれぞれは、２本の支柱を有する側柵が着脱可能である。つまり、側柵支持部３０のそれぞれは、側柵の支柱が差し込まれる差込口をもつ第１および第２の支持部材３１、３２を有する。
【００１８】
第１の支持部材３１は、枠体１１に回動可能に取り付けられ、側柵の２本の支柱の一方を受ける第１の差込穴３７を有する。第１の差込穴３７は、側柵の誤った向きでの差し込みを回避する回避部材を内部に着脱可能である。
【００１９】
第２の支持部材３２は、枠体１１に回動可能に取り付けられ、側柵の２本の支柱の他方を受ける第２の差込穴３８を有する。第２の差込穴３８は、側柵の誤った向きでの差し込みを回避する回避部材を内部に着脱可能である。
【００２０】
ここで、側柵について説明する。
【００２１】
図３は、側柵の構成例を示す図である。同図において側柵４０は、下端に傾斜面を有する支柱４１、４２を有する。傾斜面は、例えば、側柵４０に沿う平面の法線方向と平行に形成される。
【００２２】
支柱４１、４２は、側柵４０が正しい向きであるとき、第１および第２の支持部材３１、３２に差し込み可能である。また、側柵４０が誤った向きであるとき、第１および第２の支持部材３１、３２への支柱４１、４２への差し込みが妨げられる。また、一般に、側柵には、サイドレール、ベッド用グリップ（または介助バー）などの複数の種類がある。サイドレールは、主に、ベッドで寝ている人の転落や寝具の落下を予防するための柵をいう。ベッド用グリップは、主に、ベッド上で起き上がりやベッドからの立ち上がりなどの動作を補助するための柵をいう。図１および図２のベッドは、４つの側柵を装着可能である。各側柵支持部３０は、側柵が脱着可能であり、他の側柵に交換することも可能である。また、支柱４１および支柱４２の先端部分は、同図では、支柱本体に傾斜面を持つ先端部材（つまりキャップ）を被せるキャップ式になっている。なお、キャップ式でなく、支柱本体の先端部分が傾斜面を持つように加工されていてもよい。
【００２３】
次に、第１および第２の支持部材３１、３２を有する側柵支持部３０の構成例について説明する。
【００２４】
図４Ａおよび図４Ｂはそれぞれ、実施の形態１に係る側柵支持部３０の詳細な構成例を示す斜視図である。また、図４Ａは側柵支持部３０が収納された収納状態、図４Ｂは非収納状態に対応している。
【００２５】
図４Ａおよび図４Ｂにおいて、側柵支持部３０は、第１の支持部材３１、第２の支持部材３２、連結棒３３、第１のブラケット３５、第２のブラケット３６を有する。
【００２６】
第１の支持部材３１は、側柵４０の２本の支柱のうちの一方を受ける第１の差込穴３７を有し、第１のブラケット３５に連結棒３３を軸として回動可能に取り付けられる。第１の差込穴３７は、側柵４０の誤った向きでの差し込みを回避する回避部材を、内部に着脱可能である。
【００２７】
第２の支持部材３２は、側柵４０の２本の支柱のうちの他方を受ける第２の差込穴３８を有し、第２のブラケット３６に連結棒３３を軸として回動可能に取り付けられる。第２の差込穴３８は、側柵４０の誤った向きでの差し込みを回避する回避部材を、内部に着脱可能である。
【００２８】
連結棒３３は、第１および第２の支持部材３１、３２の一方の回動に連動して第１および第２の支持部材３１、３２の他方を回動させる。図４Ａおよび図４Ｂでは、連結棒３３は、第１および第２の支持部材３１、３２のそれぞれに固定され、回動軸として機能する。
【００２９】
第１のブラケット３５は、第１の支持部材３１を回動可能に保持し、枠体１１に固定される。
【００３０】
第２のブラケット３６は、第２の支持部材３２を回動可能に保持し、枠体１１に固定される。
【００３１】
続いて、第１および第２の支持部材３１、３２の詳細な構成例について説明する。
【００３２】
図５Ａは、実施の形態１に係る正しい向きの側柵４０と、第１および第２の支持部材３１、３２および支柱の断面とを示す図である。また、図５Ｂは、実施の形態１に係る誤った向きの側柵４０と、第１および第２の支持部材３１、３２および支柱の断面とを示す図である。
【００３３】
図５Ａの上段は、正しい向きの側柵４０を示す。図５Ａの中段は、第１および第２の支持部材３１、３２の垂直方向の断面図である。図５Ａの下段は、第１および第２の支持部材３１、３２の垂直方向の下面図である。また、図５Ｂは、誤った向きの側柵４０に対応している。
【００３４】
図５Ａ、図５Ｂにおいて、第１の支持部材３１は、回避部材３１ａを取り付けるための取付穴３１Ａと底穴３７ａとを有している。
【００３５】
回避部材３１ａは、側柵４０が正しい向きであると支柱４１の第１の差込穴３７への差し込みを可能にし、側柵４０が誤った向きであるとき支柱４１の第１の差込穴３７への差し込みを妨げる。より具体的には、側柵４０が正しい向きであるとき第１の差込穴３７の底部および内側面と支柱４１先端の傾斜面とで囲まれる空間の少なくとも一部を占有し、側柵４０が誤った向きであるとき支柱４１の先端部分に干渉する。例えば、回避部材３１ａは、棒状のピンであり、取付穴３１Ａに着脱可能である。このピンは、同図のような円柱状でもよいし、角柱状でもよい。
【００３６】
取付穴３１Ａは、第１の支持部材３１の外側面から第１の差込穴３７の内部に貫通し、かつ第１の差込穴３７の中心から偏心した位置に形成され、回避部材３１ａを着脱可能に保持する。この取付穴３１Ａは、側柵４０が正しい向きであるとき支柱４１先端の傾斜面に沿うように形成される。たとえば、取付穴３１Ａの中心軸は、図３の側柵４０に対応するには、ベッドの短手方向と平行である。また、取付穴３１Ａは、円柱状でもよいし、角柱状でもよい。
【００３７】
第２の支持部材３２は、回避部材３２ａを取り付けるための取付穴３２Ａと底穴３８ａとを有している。
【００３８】
回避部材３２ａは、側柵４０が正しい向きであると支柱４２の第２の差込穴３８への差し込みを可能にし、側柵４０が誤った向きであるとき支柱４２の第２の差込穴３８への差し込みを妨げる。回避部材３２ａは、例えば棒状のピンであり、取付穴３２Ａに着脱可能である。このピンは、同図のような円柱状でもよいし、角柱状でもよい。
【００３９】
取付穴３２Ａは、第２の支持部材３２の外側面から第２の差込穴３８の内部に貫通し、かつ第２の差込穴３８の中心から偏心した位置に形成され、回避部材３２ａを着脱可能に保持する。この取付穴３２Ａは、側柵４０が正しい向きであるとき支柱４２先端の傾斜面に沿うように形成される。たとえば、取付穴３２Ａの中心軸は、図３の側柵４０に対応し、ベッドの短手方向と平行である。また、取付穴３２Ａは、円柱状でもよいし、角柱状でもよい。
【００４０】
図５Ａに示すように、側柵４０が正しい向きであるとき、側柵４０の支柱４１、４２は、第１および第２の差込穴３７、３８の底まで完全に差し込むことができる。このとき、回避部材３１ａ、３２ａは、支柱４１、４２の傾斜面に沿う。
【００４１】
これに対して、図５Ｂに示すように、側柵４０が誤った向きであるとき、側柵４０の支柱４１、４２は、第１および第２の差込穴３７、３８の底まで完全に差し込むことができない。このとき、回避部材３１ａ、３２ａは、支柱４１、４２の先端部分にぶつかるので、支柱４１、４２の差し込みを妨げる。このようにして、回避部材３１ａ、３２ａは、側柵４０の逆差し（誤った向きでの側柵４０の取り付け）を回避することができる。
【００４２】
次に、他の側柵との互換性について説明する。
【００４３】
図５Ｃは、実施の形態１に係る他の側柵と、第１および第２の支持部材３１、３２および支柱４１、４２の断面および下面とを示す図である。同図の上段は、支柱４１、４２の先端に傾斜面を持たない一般的な側柵４０の構成例を示している。図５Ｃでは、回避部材３１ａ、３２ａは、第１および第２の支持部材３１、３２から取り外してある。したがって、図５Ｃの断面図に示すように、支柱４１、４２は、第１および第２の差込穴３７、３８の底にまで完全に差し込まれる。このように、回避部材３１ａ、３２ａは着脱可能なので、取り外すことによって一般的な側柵を使用することができる。また、図３に示した側柵４０を、一般的な他のベッドで使用することも可能である。
【００４４】
このように構成された本実施の形態に係るベッドによれば、側柵の逆差しを回避し、側柵の厚みを増加させず、他の側柵およびベッドとの互換性をもつという効果がある。詳しくは、図３に示した側柵４０の厚みは、パイプの太さと実質的に同じなので、従来の側柵と同じである。これにより、複数の側柵４０を保管するスペースを増加させない。また、本実施の形態に係るベッドでは、本実施の形態に係る図３の側柵だけでなく、従来の側柵を取り付けることもできる。また、本実施の形態に係る図３の側柵は、従来のベッドに取り付けることもできる。
【００４５】
以上のように実施の形態１に係るベッドは、２本の支柱を持つ非対称の側柵４０を取付可能なベッドの基台となる枠体１１と、枠体１１に取り付けられ、２本の支柱を受ける２つ差込穴３７、３８を有する一対の支持部材３１、３２と、差込穴３７、３８のそれぞれの内部に着脱可能であって、側柵の誤った向きでの差し込みを回避する回避部材３１ａ、３２ａとを備える。
【００４６】
これによれば、側柵の逆差しを回避し、側柵の厚みを増加させず、他の側柵およびベッドとの互換性をもつことができる。
【００４７】
ここで、側柵４０における２本の支柱４１、４２のそれぞれは下端に傾斜面を有し、回避部材３１ａは、側柵が正しい向きであるとき差込穴の底部および内側面と傾斜面とで囲まれる空間の少なくとも一部を占有し、側柵が誤った向きであるとき２本の支柱の先端部分に干渉してもよい。
【００４８】
これによれば、側柵４０は先端に傾斜面を設けるだけでよく、回避部材３１ａ、３２ａは差込穴３７、３８の底部および内側面と傾斜面とで囲まれる空間の少なくとも一部を占有するだけの簡単な構成にすることができる。
【００４９】
ここで、回避部材３１ａは、側柵が正しい向きであるときに傾斜面の少なくとも一部に沿い、かつ、側柵が誤った向きであるときに傾斜部の先端部の挿入を妨げてもよい。
【００５０】
これによれば、側柵４０が正しい向きであるときに傾斜面の少なくとも一部に沿うことにより、側柵４０の差し込みを可能にし、側柵が誤った向きであるときに傾斜部の先端部の挿入を妨げることができる。
【００５１】
ここで、回避部材３１ａはピンであり、一対の支持部材３１、３２のそれぞれは、支持部材の外側面から差込穴内部に貫通し、かつ差込穴の中心から偏心した位置に形成され、ピンが挿入可能なピン穴３１Ａ、３２Ａを有し、ピン穴は、側柵が正しい向きであるとき傾斜面に沿うように形成されてもよい。
【００５２】
これによれば、回避部材３１ａはピンであり、簡単な構成により実現できる。
【００５３】
ここで、傾斜面は、側柵に沿う平面の法線方向と平行であり、ピン穴の中心軸はベッドの短手方向と平行でもよい。
【００５４】
ここで、傾斜面は、側柵に沿う平面と平行であり、ピン穴の中心軸はベッドの長手方向と平行でもよい。
【００５５】
これによれば、ベッドの２つの側辺のいずれの側の第１および第２の支持部材３１、３２に対して、同じ正しい向きでの側柵４０の差し込みを可能にし、同じ誤った向きでの側柵４０の差し込みを妨げることができる。言い換えれば、ベッドの右側でも左側でも同じ向きに側柵４０を取り付けることができる。
【００５６】
（実施の形態２）
続いて、実施の形態２に係る側柵支持部３０について説明する。実施の形態１では、回避部材３１ａ、３２ａがピンである例について説明したが、本実施の形態では、回避部材３１ａ、３２ｂが、傾斜した上面を有する例について説明する。
【００５７】
本実施の形態に係るベッドの概略構成は、図１および図２と同様である。また、側柵も図３と同じ構成でよく、また、一般的な他の側柵でもよい。以下異なる点を中心に説明する。
【００５８】
図６Ａは、実施の形態２に係る正しい向きの側柵４０の支柱４１と第１の支持部材３１とを示す断面図および下面図である。また、図６Ｂは、実施の形態２に係る誤った向きの側柵４０の支柱４１と第１の支持部材３１とを示す断面図および下面図である。
【００５９】
図６Ａ、図６Ｂにおいて、第１の支持部材３１は、第１の差込穴３７を有し、第１の差込穴３７の底部には底穴３７ａを有している。底穴３７ａの中心は、第１の差込穴３７の中心よりも、ベッドの長手方向に偏心していて、回避部材３１ａの底部の突起が嵌るようになっている。
【００６０】
回避部材３１ａは、傾斜した上面を有する円柱であり、位置決め用の突起を底部に有する。この回避部材３１ａは、第１の差込穴３７の底部に着脱可能に載置される。
【００６１】
第２の支持部材３２および回避部材３２ａについても、第１の支持部材３１および回避部材３１ａと同様である。
【００６２】
図６Ａに示すように、回避部材３１ａの上面は、側柵４０が正しい向きであるとき側柵４０先端の傾斜面と平行に対向する。これに対して、図６Ｂに示すように、回避部材３１ａの上面の先端は、側柵４０が逆向きであるとき側柵４０における傾斜面の先端部とぶつかることによって、差し込みを妨げる。回避部材３２ａについても同様である。
【００６３】
このように本実施の形態における回避部材３１ａ、３２ａは、第１の差込穴３７、第２の差込穴３８にそれぞれ載置可能な簡単な構成により実現することができる。
【００６４】
以上のように実施の形態２に係るベッドは、回避部材３１ａは、差込穴の底部に着脱可能に載置され、傾斜する上面を有する。
【００６５】
ここで、回避部材３１ａの上面は、側柵が正しい向きであるとき側柵における傾斜面と平行に対向し、記回避部材３１ａの上面の先端は、側柵が逆向きであるとき側柵における傾斜面の先端部と接触してもよい。
【００６６】
これによれば、側柵の逆差しを回避し、側柵の厚みを増加させず、他の側柵およびベッドとの互換性をもつことができる。しかも、回避部材３１ａ、３２ａは、簡単な構成により実現することができる。
【００６７】
以上、本発明に係るベッドについて、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【００６８】
たとえば、各実施の形態において、回避部材３１ａ、３２ａを第１および第２の支持部材３１、３２から取り外した状態では、一般的な側柵や種々の側柵も第１および第２の支持部材３１、３２に取り付け可能である。
【００６９】
ここで、取付可能な側柵の例として、ロック機構付きの側柵（介助グリップとも呼ぶ）について説明する。
【００７０】
図７Ａは、変形例に係るロック機構付き側柵（介助グリップ）を示す斜視図である。また、図７Ｂは、変形例におけるロック機構付き側柵（介助グリップ）の支柱を含む部分の断面説明図である。
【００７１】
図７Ａに示す介助グリップは、ベッドに固定される固定柵１０１と、固定柵１０１の長手方向端部に連結された回動自在の回転柵１０２とを有する。
【００７２】
固定柵１０１は、下方に突出する２本の脚部１１１を第１および第２の差込孔３７に差し込み、固定柵１０１に設けた操作部１０５を操作することで各脚部１１１の下端に設けた斜め臼１１２を引き上げることで側柵支持部３０に固定する。
【００７３】
回転柵２は、その一側端の上下２カ所が固定柵１０１に対して鉛直軸回りに回転自在に取り付けられ、下方側の取り付け部に固定柵１０１が備える支持体１１６に配した操作レバー１０３の操作により、固定柵１０１に対する回転柵１０２の回動についてのロックがなされる。ロックレバー１０４は操作レバー１０３の不用意な操作を避けるために操作レバー１０３をロックする。
【００７４】
固定柵１０１が備える２本の縦桟１１５は、各下端に脚部１１１を備えている。また、両縦桟１１５間には、回転軸１５０が架設されている。この回転軸１５０は、図７Ｂに示すように両端にナット１５１を一体に備えており、また一端側には操作部１０５が装着され、他端にはカバー部１５６が装着されている。これら操作部１０５及びカバー部１５６も、回転軸１５０と一体となっており、回転軸１５０をその軸回りに回転させる時、操作部１０５とカバー部１５６及びナット１５１も回転する。
【００７５】
そして上記回転軸１５０は中空に形成されており、各ナット１５１には、夫々ねじ軸１５２が螺合している。両ねじ軸１５２は、先端に傾斜カム１５３を備え、縦桟１１５に対して回り止めされている。そして、一方のねじ軸１５２とこれに螺合するナット１５１は、他方のねじ軸１５２とこれに螺合するナット１５１に対して逆ねじで構成されている。このために、回転軸５０を一方向に回転させる時、両ねじ軸１５２は回転軸１５０からの突出量を夫々増大させ、回転軸１５０を他方向に回転させる時、両ねじ軸１５２は回転軸１５０からの突出量を夫々減少させる。
【００７６】
縦桟１１５とその下端に連続する脚部１１１内には、連結軸１０７が上下動自在に配されている。下端に斜め臼１１２が固定された連結軸１０７は、その上部に上記傾斜カム１５３の傾斜面に接するピン１７０を備え、上端に縦桟１１５の内面に接する振れ止めピン１７２を備えている。
【００７７】
今、操作部１０５を操作することで回転軸１５０を上記一方向に回転させたならば、回転軸１５０からの突出量を増大させるねじ軸１５２の先端の傾斜カム１５３は、連結軸１０７のピン１７０を介して連結軸１０７を引き上げる。
【００７８】
連結軸１０７の下端に設けられた斜め臼１１２は、その上端面が傾斜面となっており、脚部１１１の傾斜面となっている下端面に接している。このために連結軸１０７が上方に引き上げられる時、斜め臼１１２は上記傾斜面に沿って移動することで側方にも移動し、脚部１１１を拡径させることになる。従って、第１の差込孔３７または第２の差込孔３８に脚部１１１及び斜め臼１１２が差し込まれている時、上記拡径により、固定柵１０１は側柵支持部３０に固定されることになる。図７Ａ中の１７４は脚部１１１と縦桟１１５との境界部に配されているとともに、固定孔上端面のテーパ面に当接する傾斜面を備えた取付座である。
【００７９】
操作部１０５及び回転軸１５０を他方向に回転させたならば、ねじ軸１５２が回転軸１５０内に引き込まれるために、斜め臼１１２を下端に備えた連結軸１０７は自重で降下する。このために側柵支持部３０への固定が解除される。
【００８０】
前述のように、回転軸１５０の両端にねじ軸１５２を配して、２本の連結軸１０７を同時に昇降させるために、２箇所での固定及び固定解除を単一箇所の一操作で行うことができる。また、連結軸１０７への斜め臼１１２の固定位置は、連結軸１０７下端のねじ部との螺合とロックナット１１３とによって上下に調整が可能となっており、このために単一の操作で複数の拡径部を夫々拡径させるとはいえ、複数の拡径部での固定力を同じとすることができる。
【００８１】
このように、回避部材３１ａ、３２ａを取り外したときは、図７Ａおよび図７Ｂに示すロック機構付きの支柱をもつ側柵を取り付けることも可能である。
【００８２】
なお、実施の形態１または２において、ベッドの４つ側柵支持部における回避部材３１ａ、３２ｂの位置は、図８のようにすることが望ましい。すなわち、図８では、ベッドの４つ側柵支持部における回避部材３１ａ、３２ｂの位置が、ベッドの長手方向の中心線に対して対称であり、かつ、ベッドの短手方向の中心線に対して対称である。こうすれば、図９に示すように、同じ種類の側柵４０について、ベッドの４つの側柵支持部のうちのどの箇所においても、逆差しを回避することができる。
【００８３】
なお、各実施の形態におけるベッドは、電動ベッドであってもよいし、電動ベッドでなくてもよい。
【００８４】
また、上記実施の形態１において、取付穴３１Ａは、第１の支持部材３１の外側面から第１の差込穴３７の内部に貫通し、かつ第１の差込穴３７の中心から偏心した位置に形成され、取付穴３１Ａの中心軸は、ベッドの短手方向に平行としたが、取付穴３１Ａは、第１の支持部材３１の側方から第１の差込穴３７の内部に貫通し、かつ第１の差込穴３７の中心から偏心した位置に形成され、取付穴３１Ａの中心軸は、ベッドの長手方向に平行としてもよい。この場合、図３の側柵４０の支柱４１の下端にある傾斜面を側柵４０に沿う平面と平行に形成すればよい。取付穴３２Ａと対応する側柵４０の支柱４２についても同様である。つまり、取付穴３１Ａ、３２Ａは、側柵４０が正しい向きであるとき支柱４１、４２先端の傾斜面に沿うように形成されていればよい。そのため、取付穴３１Ａ、３２Ａの配置方向は、ともにベッドの短手方向もしくは長手方向に配置される場合だけでなく、いずれか一方がベッドの短手方向に、いずれか他方がベッドの長手方向に配置されるようにしてもよい。  また、側柵４０の支柱４１および支柱４２は、図３では、キャップ式になっているが、キャップ式でなくてもよい。例えば、支柱本体を直接差込穴に差し込む構成でもよい。
【００８５】
また、支柱４１および支柱４２が円筒である例を示したが、角柱であってもよい。この場合、側柵支持部３０の第１および第２の差込穴３７、３８の水平断面形状は、支柱４１、４２との水平断面と同じ形状であってもよいし、異なる形状であってもよい。
【００８６】
また、図２では側柵支持部３０がベッドの側辺の４箇所に設置される例を説明したが、ベッドの他の辺に設置されてもよい。
【００８７】
また、４箇所のうち特定の箇所のみ実施の形態１または２の側柵支持部３０を備えても良い。特定の箇所は、例えば、側柵の交換、取り外しの頻度が高い箇所でよい。
【００８８】
なお、図４Ａ、図４Ｂに示すように、第１および第２の支持部材３１、３２のそれぞれは、ベッドの側端よりも内側の第１の位置と、差込穴３７、３８をベッドの側端よりも外側に露出させる第２の位置との間を回動可能としてもよい。つまり、第１および第２の支持部材３１、３２のそれぞれは、第１の位置ではベッドの側端よりも内側に収納された状態と、第２の位置ではベッドの側端よりも外側に飛び出した状態（非収納の状態）との２つの状態を択一的にとる。しかも、第１および第２の支持部材３１、３２は一方の回動に連動して他方も回動する。こうすれば、片手で容易に収納状態と非収納状態とを変更することができる。
【００８９】
なお、図４Ａ、図４Ｂにおいて、第１のブラケット３５は、第２の位置に第１の支持部材３１を固定するための着脱可能な固定用部材を保持する保持部３４を有してもよい。図４Ａおよび図４Ｂにおける保持部３４は、固定用部材３４ａとしてのピンを保持するピン穴である。このピン穴は、第１のブラケット３５の両側板に形成されている。また、固定用部材３４ａは、例えば、図５に示すようなピンでよい。図４Ａに示す非収納状態においてピン穴にピンを保持させることにより、第１の支持部材３１を回動できないようにする。つまり、側柵４０を取り付けた状態で側柵４０の上端がベッドの短手方向にぐらつくことを抑えることができる。
【００９０】
また、図４Ａ、図４Ｂにおいて、第２のブラケット３６は、第２の位置に第２の支持部材３２を固定するための着脱可能な固定用部材を保持する保持部３４を有してもよい。第２のブラケット３６の保持部３４は、第１のブラケット３５の保持部３４と同様である。
【００９１】
なお、図４Ａおよび図４Ｂでは、保持部３４が第１のブラケット３５と第２のブラケット３６の両方に形成される例を示したが、保持部３４は第１のブラケット３５と第２のブラケット３６の何れか一方に形成されていてもよい。
【符号の説明】
【００９２】
１１  枠体
３０  側柵支持部
３１  第１の支持部材
３１ａ  第１の支持本体
３１Ａ  取付穴
３２  第２の支持部材
３２ａ  第２の支持本体
３２Ａ  取付穴
３４  保持部
３４ａ  固定用部材
３７  第１の差込穴
３７ａ  底穴
３８  第２の差込穴
３８ａ  底穴
４０  側柵
４１  支柱
４２  支柱
【図１】
2015202378.tif 000003
【図２】
2015202378.tif 000004
【図３】
2015202378.tif 000005
【図４Ａ】
2015202378.tif 000006
【図４Ｂ】
2015202378.tif 000007
【図５Ａ】
2015202378.tif 000008
【図５Ｂ】
2015202378.tif 000009
【図５Ｃ】
2015202378.tif 000010
【図６Ａ】
2015202378.tif 000011
【図６Ｂ】
2015202378.tif 000012
【図７Ａ】
2015202378.tif 000013
【図７Ｂ】
2015202378.tif 000014
【図８】
2015202378.tif 000015
【図９】
2015202378.tif 000016